(57)【要約】【課題】ＣＤＭＡ方式を用いて通信を行う無線通信端末と複数の基地局との間でのソフトハンドオーバ時における無線通信端末での受信品質を向上と、無線リソースの利用効率やスループットの増大を図る。【解決手段】複数の基地局のそれぞれが、無線通信端末へ送信すべき送信データの誤り訂正符号化データから消去するビットを定めた各基地局に対応するパンクチャパターンを用いて当該誤り訂正符号化データから当該パンクチャパターンで定められたビットを消去したパンクチャード符号化データを生成し、このパンクチャード符号化データを変調及び符号拡散して送信し、無線通信端末が、複数の基地局のそれぞれから送信された各信号を受信すると、受信された各信号を逆拡散及び復調して得られる複数の受信データのうちの少なくとも１つに存在する、各基地局で削除されずに残されているビットを用いて、符号化データを生成し、生成された符号化データを復号する。【選択図】図７
2006217243.tif 000002
【特許請求の範囲】
【請求項１】
複数の基地局と無線通信端末とからなる無線通信システムにおいて、
前記複数の基地局のそれぞれは、
前記無線通信端末へ送信すべき送信データを誤り訂正符号化して、誤り訂正符号化データを生成する誤り訂正符号化手段と、
誤り訂正符号化データから消去するビットを定めた異なる複数のパンクチャパターンのうちの当該基地局に対応するパンクチャパターンを用いて、前記誤り訂正符号化手段で生成された誤り訂正符号化データから当該パンクチャパターンで定められたビットを消去し、パンクチャード符号化データを生成するパンクチャ手段と、
前記パンクチャード符号化データを変調する変調手段と、
変調されたパンクチャード符号化データを前記無線通信端末に対応する拡散符号を用いて符号拡散する拡散手段と、
符号拡散されたパンクチャード符号化データを含む信号を送信する送信手段と、
を備え、
前記無線通信端末は、
前記複数の基地局からの各信号を受信する受信手段と、
受信された各信号を逆拡散する逆拡散手段と、
逆拡散された各信号を復調する復調手段と、
前記復調手段で復調した結果得られる複数の受信データのうちの少なくとも１つに存在する、前記複数の基地局のそれぞれの前記パンクチャ手段で消去されずに残されているビットデータを用いて、符号化データを生成する生成手段と、
前記生成手段で生成された符号化データを復号する復号手段と、
を備えたことを特徴とする無線通信システム。
【請求項２】
前記複数の基地局のそれぞれの前記誤り訂正符号化手段は、前記無線通信端末が１つの基地局と通信を行う場合よりも低い符号化率で誤り訂正符号化することを特徴とする請求項１記載の無線通信システム。
【請求項３】
前記複数の基地局のそれぞれの前記パンクチャ手段で用いられる各パンクチャパターンは、前記誤り訂正符号化データの各ビットデータが前記複数の基地局のそれぞれで生成される各パンクチャード符号化データのうちの少なくとも１つに存在するように、消去するビットが定められ、
前記生成手段は、前記複数の基地局のそれぞれの前記パンクチャ手段で用いられる各パンクチャパターンを基に、前記複数の受信データのそれぞれから、前記複数の基地局のそれぞれの前記パンクチャ手段で消去されずに残されているビットデータを認識し、消去されずに残されている各ビットデータを基に、前記符号化データの各ビットデータを生成することを特徴とする請求項１記載の無線通信システム。
【請求項４】
前記複数のパンクチャパターンは、前記複数の基地局のそれぞれで、誤り訂正符号化データから消去するビットがそれぞれ異なるように、誤り訂正符号化データから消去するビットが定められていることを特徴とする請求項１記載の無線通信システム。
【請求項５】
前記複数の基地局のうちの１つの第１の基地局の前記パンクチャ手段は、他の基地局の前記パンクチャ手段で消去されるビット数とは異なるビット数のビットが消去されるパンクチャパターンを用いて前記パンクチャード符号化データを生成し、
前記第１の基地局の前記変調手段は、他の基地局とは異なる変調方式で、前記パンクチャ手段から出力されたパンクチャード符号化データを変調することを特徴とする請求項１記載の無線通信システム。
【請求項６】
前記複数の基地局のうちの１つの第１の基地局の前記パンクチャ手段は、他の基地局の前記パンクチャ手段で消去されるビット数とは異なるビット数のビットが消去されるパンクチャパターンを用いて前記パンクチャード符号化データを生成し、
前記第１の基地局の前記拡散手段は、他の基地局とは異なる拡散率で、前記変調されたパンクチャード符号化データを符号拡散することを特徴とする請求項１記載の無線通信システム。
【請求項７】
前記複数の基地局のそれぞれの前記パンクチャ手段で用いるパンクチャパターン、前記変調手段で用いる変調方式及び前記拡散手段での拡散率のうちの少なくとも１つは、各基地局から送信される各信号を前記無線通信端末で受信したときの受信状態を基に決定されることを特徴とする請求項１記載の無線通信システム。
【請求項８】
送信データの誤り訂正符号化データから消去するビットを定めた各基地局に対応するパンクチャパターンを用いて当該誤り訂正符号化データから当該パンクチャパターンで定められたビットを消去したパンクチャード符号化データを生成し、このパンクチャード符号化データを変調及び符号拡散して送信する送信手段をそれぞれ備えた複数の基地局の前記送信手段から送信された複数の信号を受信する受信手段と、
受信された各信号を逆拡散及び復調して、複数の受信データを得る復調手段と、
前記複数の受信データのうちの少なくとも１つに存在する、前記各基地局で消去されずに残されているビットを用いて、符号化データを生成する生成手段と、
前記生成手段で生成された符号化データを復号する復号手段と、
を備えたことを特徴とする無線通信端末装置。
【請求項９】
前記受信手段で各基地局から送信される各信号を受信したときの受信状態を基に、前記複数の基地局のそれぞれに対応するパンクチャパターン、変調方式及び拡散率のうちの少なくとも１つを決定することを特徴とする請求項８記載の無線通信端末装置。
【請求項１０】
前記誤り訂正符号化データの各ビットデータが、前記複数の基地局のそれぞれで生成される各パンクチャード符号化データのうちの少なくとも１つに存在するように、消去するビットが定められた各基地局に対応する各パンクチャパターンを基に、前記複数の基地局のそれぞれで消去されずに残されているビットデータを認識し、消去されずに残されている各ビットデータを基に、前記符号化データの各ビットデータを生成することを特徴とする請求項８記載の無線通信端末装置。
【請求項１１】
複数の基地局と無線通信端末との間のハンドオーバ制御方法であって、
前記複数の基地局のそれぞれが、前記無線通信端末へ送信すべき送信データの誤り訂正符号化データから消去するビットを定めた各基地局に対応するパンクチャパターンを用いて当該誤り訂正符号化データから当該パンクチャパターンで定められたビットを消去したパンクチャード符号化データを生成し、このパンクチャード符号化データを変調及び符号拡散して送信するステップと、
前記無線通信端末が、前記複数の基地局のそれぞれから送信された各信号を受信するステップと、
受信された各信号を逆拡散及び復調して、複数の受信データを得るステップと、
前記複数の受信データのうちの少なくとも１つに存在する、各基地局で削除されずに残されているビットを用いて、符号化データを生成するステップと、
生成された符号化データを復号するステップと、
を備えたことを特徴とするハンドオーバ制御方法。
【発明の詳細な説明】
【技術分野】
【０００１】
本発明は、符号分割多元接続（ＣＤＭＡ：Code Division Multiple Access）方式を用いた無線通信システムに関する。
【背景技術】
【０００２】
通信方式としてＣＤＭＡが用いられる場合、ＣＤＭＡの特性により、複数の基地局が同じ周波数帯域において同一の変調信号を送信し、無線通信端末が複数の基地局から送信された変調信号を同時に受信して合成処理するソフトハンドオーバを行うことが可能である。この場合、合成処理により信号電力対干渉及び雑音信号電力比（ＳＩＮＲ）を増大させることで、結果として無線通信端末における受信品質が向上し、同時に送信電力を制御することで無線リソースの利用効率を増大させる効果が得られ、同時に変調方式及び符号化率を制御することでスループットを増大させる効果が得られる。
【０００３】
また、無線通信端末が基地局間を移動する場合に、複数の基地局から同じ周波数帯域において同一の変調信号が送信されることから、結果として通信を途切れさせることなく基地局間の移動が可能になる効果が得られる。
【０００４】
また、無線通信端末でソフトハンドオーバの実行が可能である場合、例えば通信サービスの特徴に応じて、複数の基地局が同一のデータを送信するか、異なるデータを送信するかを選択し、同一のデータを送信する場合には、無線通信端末が、ソフトハンドオーバと同様に複数の基地局から送信された同一のデータを合成し、異なるデータを送信する場合には、ソフトハンドオーバとは異なり複数の基地局から送信された異なるデータを個別に受信することで、無線リソースの利用効率を増大させる効果とスループットを増大させる効果を選択的に享受させるものもある(例えば特許文献１参照)。
【０００５】
このように、従来は、無線通信端末が複数の基地局と通信可能である場合に、当該複数の基地局が送信した同一の信号を当該無線通信端末が合成して受信することで、無線リソースの利用効率の増大、またはスループットの増大を図るものである。
【０００６】
ところで、基地局及び無線通信端末間の無線通信においては、例えば基地局がデータを送信し、無線通信端末が当該データを受信する場合、通常基地局において送信データを所定のブロック長毎に誤り訂正符号化及び誤り検出符号化を行い、無線通信端末が受信データに対して所定のブロック長毎に誤り訂正復号及び誤り検出を行うことで、無線通信路の特性が時間的に変動するような環境下においても、当該送信データの誤り率を低減させている。
【０００７】
所定のブロック長が無線通信路特性の時間変動周期に対して十分に長い場合、当該複数の基地局が送信した同一の信号を当該無線通信端末が合成することで、十分なダイバーシチ効果により無線通信端末における受信品質が向上し、結果として無線リソースの利用効率を増大、またはスループットを増大させる効果を得ることが可能である。
【０００８】
しかしながら、所定のブロック長が無線通信路特性の時間変動周期に対して短い場合、すなわち所定のブロック長期間内で無線通信路特性がさほど変化しない場合において、特に無線通信端末における複数の基地局が送信したデータの信号電力対干渉及び雑音信号電力比（ＳＩＮＲ）に代表される受信状態に差がある場合には、十分なダイバーシチ効果を得ることが困難であるため、無線通信端末における受信品質はさほど向上せず、結果として無線リソースの利用効率を増大、またはスループットを増大させる効果を得ることが困難になるという問題点があった。なお、さらなる高速通信が求められるに従い前記所定のブロック長期間が短くなる傾向にあるため、無線通信の発展と共に前述の問題点が顕在化することが容易に想像できる。
【特許文献１】特開２００３−１１１１３４  ５頁
【発明の開示】
【発明が解決しようとする課題】
【０００９】
このように、従来は、ＣＤＭＡ方式を用いて、無線通信端末が複数の基地局との間でソフトハンドオーバを行う場合、特に、誤り訂正符号化及び誤り検出符号化ブロック長が無線通信路特性の時間変動周期に対して短く、無線通信端末で受信される複数の基地局からのデータの受信状態に差がある場合には、無線通信端末における受信品質を向上させること、及び無線リソースの利用効率やスループットを増大させることは困難であるという問題点があった。
【００１０】
そこで、本発明は、上記問題点に鑑み、ＣＤＭＡ方式を用いて通信を行う無線通信端末と複数の基地局との間でソフトハンドオーバを行う際に、誤り訂正符号化及び誤り検出符号化ブロック長が無線通信路特性の時間変動周期に対して短い場合においても、無線通信端末における受信品質を向上させることができ、その結果、無線リソースの利用効率やスループットを増大させることができるハンドオーバ制御方法及びそれを用いた無線通信システム及び無線通信端末装置を提供することを目的とする。
【課題を解決するための手段】
【００１１】
（１）複数の基地局と無線通信端末とからなる無線通信システムにおける複数の基地局のそれぞれは、（ａ）前記無線通信端末へ送信すべき前記複数の基地局で同一の送信データを誤り訂正符号化して、誤り訂正符号化データを生成し、（ｂ）誤り訂正符号化データから消去するビットを定めた異なる複数のパンクチャパターンのうちの当該基地局に対応するパンクチャパターンを用いて、誤り訂正符号化データから当該パンクチャパターンで定められたビットを消去し、パンクチャード符号化データを生成し、（ｃ）パンクチャード符号化データを変調し、（ｄ）変調されたパンクチャード符号化データを拡散符号を用いて符号拡散し、（ｅ）符号拡散されたパンクチャード符号化データを含む信号を送信する。
【００１２】
無線通信端末は、（ｆ）複数の基地局からの各信号を受信し、（ｇ）受信された各信号を逆拡散及び復調し、（ｈ）復調した結果得られる複数の受信データのうちの少なくとも１つに存在する、複数の基地局のそれぞれでパンクチャード符号化データを生成する際に消去されずに残されているビットデータを用いて、符号化データを生成し、（ｉ）生成された符号化データを復号する。
【００１３】
（２）複数の基地局のそれぞれに対応する各パンクチャパターンは、誤り訂正符号化データの各ビットデータが複数の基地局のそれぞれで生成される各パンクチャード符号化データのうちの少なくとも１つに存在するように、消去するビットが定められ、無線通信端末は、複数の基地局のそれぞれに対応する各パンクチャパターンを基に、復調した結果得られる複数の受信データのそれぞれから、複数の基地局のそれぞれでパンクチャード符号化データを生成する際に消去されずに残されているビットデータを認識し、消去されずに残されている各ビットデータを基に、符号化データの各ビットデータを生成する。
【発明の効果】
【００１４】
本発明によれば、ＣＤＭＡ方式を用いて通信を行う無線通信端末と複数の基地局との間でのソフトハンドオーバ時における無線通信端末での受信品質を向上と、無線リソースの利用効率やスループットの増大が図れる。
【発明を実施するための最良の形態】
【００１５】
以下、本発明の実施形態について図面を参照して説明する。
【００１６】
まず、図１を参照して本実施形態に係るソフトハンドオーバ状態について説明する。
【００１７】
図１において、複数の基地局（ＢＳ）１０１−１及び１０１−２はそれぞれ通信エリアとして１０２−１及び１０２−２を有している。また、基地局１０１−１及び１０１−２は制御局１０４に接続され、制御局１０４を介して通信網１０５と接続されている。無線通信端末１０３ａは、基地局１０１−１の通信エリア１０２−１に存在していることにより、基地局１０１−１とのみ通信を行うことが可能である。無線通信端末１０３ｂは、基地局１０１−１の通信エリア１０２−１及び基地局１０１−２の通信エリア１０２−２に存在していることにより、複数の基地局１０１−１及び１０１−２と同時に通信を行うことが可能である。さらに、無線通信端末１０３ｃは、基地局１０１−２の通信エリア１０２−２に存在していることにより、基地局１０１−２とのみ通信を行うことが可能である。
【００１８】
本実施形態では、無線通信端末１０３ｂのように、複数の基地局と同時に通信を行うことが可能であり、且つ同時に通信を行っている状態をソフトハンドオーバ状態と呼ぶ。なお、ソフトハンドオーバ状態は、無線通信端末１０３ｂが複数の基地局から送信される無線信号の受信状態を観測し、これをいずれかの基地局を介して制御局１０４に通知することで、制御局１０４の制御により容易に実現することが可能である。
【００１９】
以下、無線通信端末１０３ａ〜１０３ｃを区別する必要がない場合には、無線通信端末１０３と呼び、基地局１０１−１〜１０１−２を区別する必要がない場合には、基地局１０１と呼ぶ。
【００２０】
ソフトハンドオーバ状態において、基地局から無線通信端末への下り方向の通信では、通信網１０５から制御局１０４を経由し、制御局１０４が基地局１０１−１、１０１−２に対して同一のデータを通知する。基地局１０１−１、１０１−２が当該データを無線信号として送信し、無線通信端末１０３ｂが各無線信号を同時に受信する。また、無線通信端末から基地局への上り方向の通信では、無線通信端末１０３ｂが送信データを無線信号として送信し、基地局１０１−１及び１０１−２が当該無線信号を受信する。受信に成功した場合には当該送信データを制御局１０４に通知し、制御局１０４を介して通信網１０５へと送出される。
【００２１】
図２を用いて、本実施形態に係る無線通信制御方法を適用した基地局１０１の構成例について説明する。図２において、基地局は、大きく分けて、送信部２、制御部３及び受信部６を有する。送信部２はアンテナ２０１、無線処理回路２０２、第１の符号乗算回路２０３、第１のデータ多重回路２０４、第２のデータ多重回路２０５、パイロット生成回路２０６、第２の符号乗算回路２０７、変調回路２０８、パンクチャ処理回路２０９、誤り訂正符号化回路２１０、誤り検出符号付加回路２１１を有し、制御部３は上位Ｉ／Ｆ３０１、制御回路３０２を有し、受信部６は、アンテナ６０１、無線処理回路６０２、復調回路６０３、誤り訂正復号回路６０４を有する。
【００２２】
次に、図２の基地局の送信部２の各ブロックの動作について説明する。なお、Ｎは符号分割多重数を示している。
【００２３】
上位Ｉ／Ｆ３０１からは、Ｎ系列の送信データが出力され、Ｎ個の誤り検出符号付加回路２１１のそれぞれに入力される。Ｎ個の誤り検出符号付加回路２１１のそれぞれは、上位Ｉ／Ｆ３０１から入力された対応する送信データに対して、所定の誤り検出方式により誤り検出符号を生成して付加し、対応する誤り訂正符号化回路２１０へ出力する。Ｎ個の誤り訂正符号化回路２１０のそれぞれは、入力された誤り検出符号の付加された送信データに対して、所定の符号化方式及び符号化率で誤り訂正符号化を行い、誤り訂正符号化データを生成して、対応するパンクチャ処理回路２０９へ出力する。Ｎ個のパンクチャ処理回路２０９のそれぞれは、入力された誤り訂正符号化データに対して、所定のパンクチャパターンに従いパンクチャを行い、パンクチャード符号化データを生成して、対応する変調回路２０８へ出力する。Ｎ個の変調回路２０８のそれぞれは、入力されたパンクチャード符号化データに対して、所定の変調方式により変調を行い、その結果得られる変調データを対応する第２の符号乗算回路２０７へ出力する。Ｎ個の第２の符号乗算回路２０７のそれぞれは、各第２の符号乗算回路２０７に予め定められたそれぞれが直交する所定の拡散率の符号を有し、入力された変調データに対して、当該符号を乗算して拡散し、その結果得られる符号拡散信号を第２のデータ多重回路２０５へ出力する。
【００２４】
第２のデータ多重回路２０５は、Ｎ個の第２の符号乗算回路２０５のそれぞれから出力された符号拡散信号を多重し、多重化された信号を第１のデータ多重回路２０４へ出力する。パイロット生成回路２０６は、所定の信号パターンを有するパイロット信号を生成し、第１のデータ多重回路２０４へ出力する。第１のデータ多重回路２０４は、第２のデータ多重回路２０５から出力された多重化された信号と、パイロット生成回路２０６から出力されたパイロット信号を多重し、第１の符号乗算回路２０３へ出力する。以後、多重化された信号及びパイロット信号を信号と総称する。
【００２５】
第１の符号乗算回路２０３は、当該基地局に対し予め割り当てられた擬似ランダム系列に代表されるスクランブル符号を有し、入力された信号に対して当該スクランブル符号を乗算し、無線処理回路２０２へ出力する。無線処理回路２０２は、入力された信号に対して、Ｄ／Ａ変換、直交変調、アップコンバード、帯域制限、電力増幅等の所定の無線処理を行い無線信号を生成し、当該無線信号はアンテナ２０１より送信される。なお、符号分割多重数Ｎ、符号化方式及び符号化率、パンクチャパターン、変調方式及び拡散率等は、例えば制御回路３０２から通知される。
【００２６】
上位Ｉ／Ｆ３０１は、上位プロトコル層及び制御局１０４とのＩ／Ｆとして動作し、制御回路３０２は、上位Ｉ／Ｆ３０１を介して制御局１０４から通知された情報や、受信部６で受信された、無線通信端末１０３から通知された情報を用いて、前述のように送信部２の各回路を制御する共に、送信部２に対する送信データの入力を制御する。  受信部６のアンテナ６０１は、例えば、無線通信端末１０３ｂから送信された信号を受信すると、無線処理回路６０２へ出力する。無線処理回路６０２は、入力された信号に対して、帯域制限、ダウンコンバート、直交復調、Ａ／Ｄ変換等の所定の無線処理を行い、その結果得られる信号を復調回路６０３へ出力する。
【００２７】
復調回路６０３は、入力された信号を復調し、誤り訂正復号回路６０４へ出力する。誤り訂正復号回路６０４は、入力されたデータを所定の符号化方式及び符号化率に基づき復号し、ハンドオーバ制御に係るデータなどは、制御回路３０２へ出力し、無線通信端末１０３から上位Ｉ／Ｆ３０１を介して通信網１０５へ送信する情報データなどは上記Ｉ／Ｆ３０１へ出力する。  なお、無線通信端末１０３から基地局１０１へ、ハンドオーバ制御に係る各種情報データを送信する場合に、当該データを無線通信端末１０３で誤り訂正符号化せずに送信する場合には、当該データは復調回路６０３から制御回路３０２へ出力する構成とすればよい。
【００２８】
図３は、本実施形態に係る無線通信制御方法を適用した無線通信端末１０３の構成例を示したものである。図３において、無線通信端末は、受信部４、制御部５及び送信部７を有する。
【００２９】
受信部４は、アンテナ４０１、無線処理回路４０２、同期回路４０３、第１の符号乗算回路４０４、第２の符号乗算回路４０５、伝送路推定回路４０６、合成回路４０７、復調回路４０８、データ結合回路４０９、誤り訂正復号回路４１０、誤り検出回路４１１を有し、制御部５は、上位Ｉ／Ｆ５０１、制御回路５０２を有し、送信部７は、誤り訂正符号化回路７０４、変調回路７０３，無線処理回路７０２，アンテナ７０１を有する。なお、ソフトハンドオーバを実現するために、第１の符号乗算回路４０４、第２の符号乗算回路４０５、伝送路推定回路４０６、合成回路４０７、復調回路４０８のそれぞれは、ソフトハンドオーバにおいて同時に受信することができる基地局の数Ｍと等しい数だけ設けられている。
【００３０】
次に、図３の無線通信端末１０３の各ブロックの動作について説明する。アンテナ４０１は受信した各無線信号を無線処理回路４０２へ出力する。無線処理回路４０２は、入力された無線信号に対して、帯域制限、ダウンコンバート、直交復調、Ａ／Ｄ変換等の所定の無線処理を行い、その結果得られる各信号を同期回路４０３、Ｍ個の第１の符号乗算回路４０４へ出力する。同期回路４０３は、入力された各信号から受信タイミングを検出し、結果をＭ個の第１の符号乗算回路４０４に通知する。なお、無線通信においては、通常、無線信号が複数の無線伝搬路を経由して到来することに起因するマルチパスが発生しているため、複数の受信タイミングが検出され、各第１の符号乗算回路４０４に通知される。
【００３１】
同期回路４０３は受信タイミングを検出するとともに、それぞれの受信タイミングに対応する基地局を識別し、各基地局の受信タイミング及び受信電力や信号電力対干渉及び雑音信号電力比（ＳＩＮＲ）などの受信状態を測定する。そして、基地局検出結果とともに、測定した各基地局の受信状態を制御回路５０２に通知する。
【００３２】
Ｍ個の第１の符号乗算回路４０４のそれぞれは、入力された信号に対して、基地局の第１の符号乗算回路２０３が乗算したスクランブル符号と同一の符号を乗算し、その結果得られる信号が、当該データが無線通信端末当てのデータを含む信号であれば、対応する第２の符号乗算回路４０５へ出力し、当該信号がパイロット信号であれば、対応する伝送路推定回路４０６へ出力する。
【００３３】
Ｍ個の第２の符号乗算回路４０５のそれぞれは、各基地局に対応し、各基地局の第２の符号乗算回路２０７で乗算された符号と同一の符号を有する。各第２の符号乗算回路４０５は、入力された信号に対して、当該第２の符号乗算回路４０２で有する符号を乗算して逆拡散し、その結果得られる信号を、対応する合成回路４０７へ出力する。Ｍ個の伝送路推定回路４０６のそれぞれは、入力されたパイロット信号を用いて伝送路推定を行い、推定結果を対応する合成回路４０７に通知する。
【００３４】
Ｍ個の合成回路４０７のそれぞれは、入力された信号に対して、対応する伝送路推定回路４０６から通知された伝送路推定結果を用いて、マルチパスに起因する複数の受信信号を例えば最大比合成などの方法により合成し、対応する復調回路４０８へ出力する。
【００３５】
Ｍ個の復調回路４０８のそれぞれは、入力された信号を所定の復調方式により復調し、その結果得られる復調データ（パンクチャード符号化データ）をデータ結合回路４０９へ出力する。
【００３６】
データ結合回路４０９は、入力された各復調データと、各基地局に対応するパンクチャパターンを基に符号化データ（誤り訂正符号化データ）を生成して、誤り訂正復号回路４１０へ出力する。
【００３７】
データ結合回路４０９では、例えば、入力された復調データに、元の誤り訂正符号化データから除去されたビット位置にダミービットを挿入する代わりに、各基地局に対応するパンクチャパターンを基に、各復調データのそれぞれから、各基地局で消去されずに残されているビットデータを認識し、消去されずに残されている各ビットデータを基に、符号化データの各ビットデータを生成する。すなわち、元の誤り訂正符号化データを復元することができる。
【００３８】
誤り訂正復号回路４１０は、入力された符号化データを所定の符号化方式及び符号化率に基づき復号し、その結果得られる復号データを誤り検出回路４１１へ出力する。誤り検出回路４１１は、入力された復号データに対して、所定の誤り検出方式に従い誤りを検出し、誤りが存在しない場合には上位Ｉ／Ｆへ出力する。また、誤りの有無を制御回路５０２に通知する。
【００３９】
なお、先に述べたように、無線通信端末１０３がソフトハンドオーバを行う場合、最大同時受信基地局数Ｍだけ設けられたＭ個の第１の符号乗算回路４０４、Ｍ個の第２の符号乗算回路４０５、Ｍ個の伝送路推定回路４０６、Ｍ個の合成回路４０７、Ｍ個の復調回路４０８のそれぞれは、各基地局に対応するスクランブル符号により識別される、複数の基地局から送信された各データ（各基地局からは同一のデータが送信される）に対して上述の処理を行う。
【００４０】
上位Ｉ／Ｆ５０１は、上位プロトコル層とのインターフェースとして動作し、制御回路５０２は、受信部４で受信されたデータや受信部４から通知された情報を基に受信部４を制御すると共に、送信部７への送信データの出力を制御する。
【００４１】
制御回路５０２は、基地局へ送信するハンドオーバ制御に係るデータを、送信部７の誤り訂正符号化回路７０４へ出力する。上位Ｉ／Ｆ５０１は、基地局を介して通信網１０５へ送信するデータを、送信部７の誤り訂正符号化回路７０４へ出力する。
【００４２】
誤り訂正符号化回路７０４は、入力されたデータに誤り訂正符号を付加するとともに、所定の符号化方式及び符号化率で誤り訂正符号化を行い、誤り訂正符号化データを生成して、変調回路７０３へ出力する。
【００４３】
変調回路７０３は、入力された誤り訂正符号化データに対して、所定の変調方式により変調を行い、その結果得られる信号を無線処理回路７０２へ出力する。
【００４４】
無線処理回路７０２は、入力された信号に対して、Ｄ／Ａ変換、直交変調、アップコンバード、帯域制限、電力増幅等の所定の無線処理を行い無線信号を生成し、当該無線信号はアンテナ７０１より送信される。
【００４５】
なお、無線通信端末１０３から基地局１０１へ、ハンドオーバ制御に係る各種情報データを送信する場合に、当該データを無線通信端末１０３で誤り訂正符号化せずに送信する場合には、当該データは制御回路５０２から変調回路７０３へ入力する構成とすればよい。
【００４６】
図４は、本実施形態に係るソフトハンドオーバに関する無線通信制御方法について説明するためのシーケンスチャートを示したもので、複数の基地局（図１では基地局１０１−１、１０１−２に対応し、ここでは、第１の基地局、第２の基地局と示している）、制御局（図１では制御局１０４に対応する）及び無線通信端末（図１では、無線通信端末１０３ｂに対応する）におけるソフトハンドオーバ開始時の制御方法を示している。なお、図４では無線通信端末が基地局１と通信を行っている際に、通信対象に基地局２が加えられソフトハンドオーバ状態となる場合について説明している。
【００４７】
図４において、無線通信端末が第１の基地局と通信を行っている状態において（ステップＳ１）、周辺に位置する他の基地局の検出を試みており、これは無線通信端末の前述した同期回路４０３にて検出された情報を基に、制御回路５０２が通信可能な基地局（受信状態が予め定められた閾値以上の基地局）が存在するか否かを検出することで実現できる。無線通信端末は、通信可能な他の基地局として、第２の基地局を検出すると（ステップＳ２）、その検出結果を既に通信を行っている第１の基地局に対して通知する（ステップＳ３）。当該通知には、基地局情報として、その識別子や受信状態等が含まれている。
【００４８】
当該通知を受けた第１の基地局は、これを制御局に対して通知する（ステップＳ４）。通知を受けた制御局は、無線通信端末に対してソフトハンドオーバを実施するか否かを決定する。ソフトハンドオーバを実施すると決定した場合（ステップＳ５）、制御局は、第２の基地局に対してソフトハンドオーバを実行すること、すなわち当該無線通信端末との通信を実施することを通知する（ステップＳ６）。また、ソフトハンドオーバでの制御パラメータ（後述）も同時に通知する（ステップＳ７）。さらに、制御局は第１の基地局に対してソフトハンドオーバが実行されることを通知する（ステップＳ８）と共に、これに伴い変更される既存の通信に関する制御パラメータ及び第２の基地局に対して通知した制御パラメータも同時に通知する（ステップＳ９）。
【００４９】
通知を受けた第２の基地局は、通知された制御パラメータに従い、無線通信端末との間で無線信号の送受信を開始し（ステップＳ１０）、これによりソフトハンドオーバを開始可能であることを制御局に通知する（ステップＳ１１）。通知を受けた制御局はこれを第１の基地局に対して通知し（ステップＳ１２）、第１の基地局は無線通信端末に対して、ソフトハンドオーバを実行すること、すなわち既存の通信（第１の基地局との間の通信）に対して第２の基地局を加えることを通知する（ステップＳ１３）とともに、制御局から通知されたそれぞれの基地局に関する制御パラメータも通知する（ステップＳ１４）。
【００５０】
通知を受けた無線通信端末及び通知を行った第１の基地局は、既存の通信に対してソフトハンドオーバに起因して変更される制御パラメータを同時に変更する（ステップＳ１５、ステップＳ１６）。
【００５１】
無線通信端末は、通知された制御パラメータに従い、第２の基地局から送信された無線信号の受信を開始する（ステップＳ１７）ことで、ソフトハンドオーバが開始される。
【００５２】
図５は、他の無線通信制御方法について説明するためのシーケンスチャートであり、複数の基地局（図４と同様に、第１の基地局及び第２の基地局）、制御局及び無線通信端末におけるソフトハンドオーバ開始時の制御方法を示している。なお、図５では無線通信端末が、第１の基地局と通信を行っている際に、通信対象に第２の基地局が加えられソフトハンドオーバ状態となる場合について説明している。また、図５において、図４と同一部分には同一符号を付している。
【００５３】
図５において、無線通信端末は第１の基地局と通信を行っている状態において（ステップＳ１）、周辺に位置する他の基地局の検出を試みており、これは無線通信端末の前述した同期回路４０３にて検出された情報を基に、制御回路５０２が通信可能な基地局が存在するか否かを検出することで実現できる。無線通信端末は、通信可能な他の基地局として第２の基地局を検出すると（ステップＳ２）、無線通信端末は検出結果を既に通信を行っている第１の基地局に対して通知する（ステップＳ３）。当該通知には、基地局情報として、その識別子や受信状態等が含まれている。通知を受けた第１の基地局は、これを制御局に対して通知する（ステップＳ４）。通知を受けた制御局は、無線通信端末に対してソフトハンドオーバを実施するか否かを決定する。ソフトハンドオーバを実施すると決定した場合（ステップＳ５）、制御局は第２の基地局に対してソフトハンドオーバを実行すること、すなわち当該無線通信端末との通信を実施すること及びソフトハンドオーバには関連しない制御パラメータを通知し（ステップＳ２１）、また、第１の基地局に対してソフトハンドオーバが実行されることを通知する（ステップＳ２２）。
【００５４】
通知を受けた第２の基地局は、通知された制御パラメータに従い、無線通信端末との間で無線信号の送受信を開始し（ステップＳ２３）、これによりソフトハンドオーバを開始可能であることを制御局に通知する（ステップＳ２４）。通知を受けた制御局はこれを第１の基地局に対して通知し（ステップＳ２５）、第１の基地局は無線通信端末に対して、ソフトハンドオーバを実行すること、すなわち既存の通信に対して第２の基地局を加えることを通知する（ステップＳ２６）。
【００５５】
通知を受けた無線通信端末は、第２の基地局から送信された無線信号の受信を開始する（ステップＳ２７）と共に、第１の基地局及び第２の基地局で用いる、ソフトハンドオーバでの制御パラメータを決定して、それを第１の基地局及び第２の基地局へ通知する（ステップＳ２８）。通知を受けた第１の基地局及び第２の基地局は、既存の通信に対して通知された制御パラメータを、無線通信端末と共に同時に変更する（ステップＳ２９〜ステップＳ３１）ことで、ソフトハンドオーバが開始される。以後、無線通信端末は所定の周期にて、ソフトハンドオーバに起因して変更される制御パラメータを第１の基地局及び第２の基地局に対して通知するように制御するようにしてもよい。すなわち、ステップＳ２８〜ステップＳ３１を所定の周期で繰り返す。
【００５６】
図４に示す無線通信制御方法では、制御局が各基地局の上記制御パラメータを決定・変更して、各基地局へ通知する場合であり、図５に示す無線通信制御方法では、無線通信端末が、各基地局の上記制御パラメータを決定・変更して、各基地局へ通知する場合を示している。
【００５７】
以下、誤り訂正符号化及び誤り検出符号化を行う１単位のデータ、すなわち、１データブロック（１ブロック）に対する基地局及び無線通信端末の処理動作について説明する。
【００５８】
（１）図４及び図５でのソフトハンドオーバにおける制御パラメータが、パンクチャパターンである場合について、図６及び図７を用いて、基地局及び無線通信端末の要部の処理動作について説明する。
【００５９】
図６は、複数の基地局の誤り訂正符号化回路２１０及びパンクチャ処理回路２０９の制御例を示している。無線通信端末がソフトハンドオーバを行わず、第１の基地局とのみ通信を行っている場合、図６（ａ）に示すように、誤り訂正符号化回路２１０は誤り検出符号付加回路２１１から出力された送信データに対して、符号化率Ｒ＝１／２で符号化する。パンクチャ処理回路２０９は誤り訂正符号化回路２１０から出力された誤り訂正符号化データに対して、パンクチャパターンＡ「１１１０」（「１」は消去されないビット、「０」は消去されるビットを表す）を用いてパンクチャを行う。この結果得られるパンクチャード符号化データは、符号化率Ｒ＝２／３の誤り訂正符号化データである。
【００６０】
このような制御条件下において、無線通信端末がソフトハンドオーバ状態となり、第１の基地局に加えて第２の基地局とも通信を行う場合、図６（ｂ）に示すように、第１の基地局に対してはパンクチャパターンＡ「１１１０」を割り当て、第２の基地局に対しては第１の基地局で用いるパンクチャパターンＡで消去するビットとは異なるビットを消去するパンクチャパターンＢ「１１０１」を割り当てると決定し、各パンクチャパターンを第１及び第２の基地局へ通知する。この場合、パンクチャードパターンＡ及びＢとで消去するビット数は同じである。
【００６１】
なお、ソフトハンドオーバ状態であることから、各基地局の誤り訂正符号化回路２１０に入力される送信データは同一の送信データであり、誤り訂正符号化回路２１０から出力される誤り訂正符号化データも同一である。
【００６２】
これにより、第１及び第２の基地局におけるパンクチャ後（各パンクチャパターンで指定されたビット位置のビットを消去した後）の符号化率はＲ＝２／３と、図６（ａ）のソフトハンドオーバ状態でない場合と同一であるが、パンクチャ後の誤り訂正符号化データ（パンクチャード符号化データ）は、各基地局で異なるビットを消去していることから、各基地局で一部が異なる送信データとなる。
【００６３】
図７は、第１及び第２の基地局が図６のように制御されている場合において、無線通信端末のデータ結合回路４０９及び誤り訂正復号回路４１０の制御例を示している。無線通信端末がソフトハンドオーバを行わず、第１の基地局とのみ通信を行っている場合、図７（ａ）に示すように、データ結合回路４０９は復調回路４０８から出力された、復調データ（符号化率Ｒ＝２／３にて誤り訂正符号化されている誤り訂正符号化データ）に対して、パンクチャパターンＡ「１１１０」に従って、パンクチャ（消去）されたビット位置にダミービットを挿入する。さらに誤り訂正復号回路４１０は、ダミービットの挿入された復調データに対して誤り訂正復号を行う。この場合の誤り訂正復号は符号化率Ｒ＝１／２に対応するが、ダミービットが挿入されていることを考慮すると、実質的な符号化率はＲ＝２／３である。
【００６４】
無線通信端末がソフトハンドオーバ状態となり、第１の基地局に加えて第２の基地局とも通信を行う場合、図７（ｂ）に示すように、データ結合回路４０９は、各基地局に対応する復調回路４０８から出力された符号化率Ｒ＝２／３の復調データに対して、各基地局に対応するパンクチャパターンＡ、Ｂに従い結合し、符号化データ（符号化率Ｒ＝１／２）を生成する。
【００６５】
すなわち、データ結合回路４０９では、複数の基地局からの復調化データに除去されずに残されているビット（図７（ｂ）は、例えば、第１の基地局からの復調データの１ビット目と、第２の基地局からの復調データの１ビット目）は、これらを合成して符号化データのビットデータ（図７（ｂ）の誤り訂正符号化データの１ビット目）を生成し、任意の１つの基地局からの復調データにのみ除去されずに残されているビットについては、当該ビットデータをそのまま符号化データのビットデータとする。例えば、図７（ｂ）に示すように、第１の基地局からの復調データの３ビット目のビットは、第２の基地局からの復調データでは除去されて存在しないから、この第１の基地局からの復調データの３ビット目のビットをそのまま、符号化データの３ビット目のビットデータとする。また、図７（ｂ）に示すように、第２の基地局からの復調データの３ビット目のビットは、第１の基地局からの復調データでは除去されて存在しないから、この第２の基地局からの復調データの３ビット目のビットをそのまま、符号化データの４ビット目のビットデータとする。
【００６６】
このように、データ結合回路４０９では、各基地局に対応するパンクチャパターンを基に、（各基地局で生成されるパンクチャード符号化データに対応する）各復調データのそれぞれから、各基地局で消去されずに残されているビットデータを認識し、消去されずに残されている各ビットデータを基に、符号化データの各ビットデータを生成する。すなわち、元の誤り訂正符号化データを復元することができる。
【００６７】
図７に示すように、ソフトハンドオーバの場合、無線通信端末では、パンクチャード符号化データにダミービットの挿入は行わない。無線通信端末では、データ結合回路４０９で生成した符号化データに対し、誤り訂正復号回路４１０で誤り訂正復号を行う。この場合、誤り訂正復号は符号化率Ｒ＝１／２に対応し、上記のように、ダミービットが挿入されていないことを考慮すると、実質的な符号化率はＲ＝１／２である。
【００６８】
（２）図４及び図５でのソフトハンドオーバにおける制御パラメータが、符号化率及びパンクチャパターンである場合について、図８及び図９を用いて、基地局及び無線通信端末の要部の処理動作について説明する。
【００６９】
図８は、複数の基地局の誤り訂正符号化回路２１０及びパンクチャ処理回路２０９の制御例を示している。無線通信端末がソフトハンドオーバを行わず、第１の基地局とのみ通信を行っている場合、図８（ａ）に示すように、誤り訂正符号化回路２１０は誤り検出符号付加回路２１１から出力された送信データに対して、符号化率Ｒ＝１／２で符号化する。パンクチャ処理回路２０９は誤り訂正符号化回路２１０から出力された誤り訂正符号化データに対して、消去するビットの存在しないパンクチャパターンＡ「１１１１」を用いて、パンクチャを行なわずに出力する。
【００７０】
このような制御条件下において、無線通信端末がソフトハンドオーバ状態となり、第１の基地局に加えて第２の基地局とも通信を行う場合、図８（ｂ）に示すように、第１の基地局に対しては符号化率をＲ＝１／２からＲ＝１／３へ変更する旨、及び消去するビットの存在しないパンクチャパターンＡからパンクチャパターンＢ「１１０」へ変更する旨が通知される。また、第２の基地局に対しては符号化率をＲ＝１／３とする旨、及び第１の基地局に通知されているパンクチャパターンＢとは異なるビットが消去されるパンクチャパターンＣ「１０１」が通知される。なお、ソフトハンドオーバ状態であることから、各基地局の誤り訂正符号化回路２１０に入力される送信データは同一の送信データであり、誤り訂正符号化回路２１０から出力される誤り訂正符号化データも同一である。
【００７１】
この結果、第１及び第２の基地局におけるパンクチャ後の符号化率はＲ＝１／２と図８（ａ）のソフトハンドオーバ状態でない場合と同一であるが、パンクチャ後の誤り訂正符号化データ（パンクチャード符号化データ）は、各基地局で異なるビットを消去していることから、各基地局で一部が異なる送信データとなる。
【００７２】
図９は、第１及び第２の基地局が図８のように制御されている場合において、無線通信端末のデータ結合回路４０９及び誤り訂正復号回路４１０の制御例を示している。無線通信端末がソフトハンドオーバを行わず、第１の基地局とのみ通信を行っている場合、図９（ａ）に示すように、データ結合回路４０９は復調回路４０８から出力された、復調データ、すなわち、符号化率Ｒ＝１／２にて誤り訂正符号化されている誤り訂正符号化データ（ここでは、図８に示したようにパンクチャされていない）をそのまま誤り訂正復号回路４１０に出力する。誤り訂正復号回路４１０は入力された誤り訂正符号化データに対して誤り訂正復号を行う。この場合、誤り訂正復号は符号化率Ｒ＝１／２に対応する。
【００７３】
無線通信端末がソフトハンドオーバ状態となり、第１の基地局に加えて第２の基地局とも通信を行う場合、図９（ｂ）に示すように、データ結合回路４０９は、各基地局に対応する復調回路４０８から出力された復調データ、すなわち、符号化率Ｒ＝１／２のパンクチャード符号化データに対して、各基地局に対応するパンクチャパターンＢ、Ｃを基に、符号化データ（符号化率Ｒ＝１／３）を生成する。
【００７４】
すなわち、データ結合回路４０９では、複数の基地局からの復調データ（パンクチャード符号化データ）に除去されずに残されているビット（図９（ｂ）では、例えば、第１の基地局からの復調データの１ビット目と、第２の基地局からの復調データの１ビット目）は、これらを合成して符号化データのビットデータ（図９（ｂ）の符号化データの１ビット目）を生成し、任意の１つの基地局からの復調データにのみ除去されずに残されているビットについては、当該ビットデータをそのまま符号化データのビットデータとする。例えば、図９（ｂ）に示すように、第１の基地局からの復調データの２ビット目のビットは、第２の基地局からの復調データでは除去されて存在しないから、この第１の基地局からの復調データの２ビット目のビットをそのまま、符号化データの２ビット目のビットデータとする。また、図９（ｂ）に示すように、第２の基地局からの復調データの２ビット目のビットは、第１の基地局からの復調データでは除去されて存在しないから、この第２の基地局からの復調データの２ビット目のビットをそのまま、符号化データの３ビット目のビットデータとする。
【００７５】
このように、データ結合回路４０９では、各基地局に対応するパンクチャパターンを基に、（各基地局で生成されるパンクチャード符号化データに対応する）各復調データのそれぞれから、各基地局で消去されずに残されているビットデータを認識し、消去されずに残されている各ビットデータを基に、符号化データの各ビットデータを生成する。すなわち、元の誤り訂正符号化データを復元することができる。
【００７６】
図９に示すように、ソフトハンドオーバの場合、無線通信端末では、パンクチャード符号化データにダミービットの挿入は行わない。無線通信端末では、データ結合回路４０９で生成した誤り訂正符号化データに対し、誤り訂正復号回路４１０で誤り訂正復号を行う。この場合、誤り訂正復号は符号化率Ｒ＝１／３に対応し、上記のように、ダミービットが挿入されていないことを考慮すると、実質的な符号化率はＲ＝１／３である。
【００７７】
以上説明したように、上記実施形態によれば、ＣＤＭＡ方式を用いて無線通信端末が複数の基地局との間でソフトハンドオーバを実現する場合に、符号化利得が向上するとともに、無線リソースの利用効率が増大し、またはスループットを増大させる効果がある。
【００７８】
（３）続いて、誤り訂正符号化及び誤り検出符号化ブロック長が無線通信路特性の時間変動周期に対して短く、且つ無線通信端末においてソフトハンドオーバ状態にある複数の基地局から受信する無線信号の受信状態（例えば信号電力や所望信号電力対干渉及び雑音電力比など）に差がある場合に適した、ソフトハンドオーバでの制御パラメータの制御方法について説明する。
【００７９】
（３−１）制御パラメータが、パンクチャパターン及び変調方式である場合について、図１０及び図１１を用いて、基地局及び無線通信端末の要部の処理動作について説明する。なお、図１０及び図１１では、無線通信端末において第２の基地局から送信された無線信号の受信状態が、第１の基地局から送信された無線信号の受信状態に対して劣っている場合について説明している。
【００８０】
図１０は、複数の基地局の誤り訂正符号化回路２１０、パンクチャ処理回路２０９及び変調回路２０８の制御例を示している。無線通信端末がソフトハンドオーバを行わず、第１の基地局とのみ通信を行っている場合、図１０（ａ）に示すように、誤り訂正符号化回路２１０は誤り検出符号付加回路２１１から出力された送信データに対して、符号化率Ｒ＝１／３で符号化する。パンクチャ処理回路２０９は誤り訂正符号化回路２１０から出力された誤り訂正符号化データに対して、パンクチャパターンＡ「１１０」にてパンクチャを行い、その結果得られるパンクチャード符号化データを変調回路２０８へ出力する。変調回路２０８は変調方式としてＱＰＳＫ（Quadrature Phase Shift Keying）を用いて、入力されたパンクチャード符号化データを変調する。図１０（ａ）に示すように、第１の基地局では、パンクチャパターンＡにより３ビット当たり１ビット消去した後、ＱＰＳＫにより、情報２ビット分が１シンボルで伝送されるから、１ブロックの送信データは、２シンボルとなる。
【００８１】
このような制御条件下において、無線通信端末がソフトハンドオーバ状態となり、第１の基地局に加えて第２の基地局とも通信を行う場合、図１０（ｂ）に示すように、第１の基地局に対してはパンクチャパターンを変更せずに、パンクチャパターンＡ「１１０」が通知され、変調方式も変更せずにＱＰＳＫが通知されている。
【００８２】
第２の基地局からの無線信号を無線通信端末で受信したときの受信状態は、第１の基地局からの無線信号を無線通信端末で受信したときの受信状態よりも劣っているので、第２の基地局に対しては、第１の基地局に通知されているパンクチャパターンＡで消去されるビット数よりも多く、しかもパンクチャパターンＡとは異なるビットが消去されるパンクチャパターンＢ「００１」が通知され、そのために（最終的に生成されるシンボル数が同じになるように）変調方式も第１の基地局に通知されている変調方式とは異なる（この場合、ＱＰＳＫよりも変調多値数の少ない）ＢＰＳＫ（Binary Phase Shift Keying）が通知されている。
【００８３】
すなわち、第１の基地局では、パンクチャパターンＡにより３ビット当たり１ビット消去した後、ＱＰＳＫにより、情報２ビット分が１シンボルで伝送され、第２の基地局では、パンクチャパターンＢにより３ビット当たり２ビット消去した後、ＢＰＳＫにより情報１ビット分が１シンボルで伝送されるため、第１及び第２の基地局の変調回路２０８で変調した後に得られる変調シンボル数はともに１ブロック当たり２シンボルとなり、図１０（ａ）のソフトハンドオーバ状態でない場合と同一である。
【００８４】
また、ソフトハンドオーバ状態であることから、各基地局の誤り訂正符号化回路２１０に入力される送信データは同一の送信データであり、誤り訂正符号化回路２１０から出力される誤り訂正符号化データも同一である。しかし、パンクチャ後の誤り訂正符号化データ（パンクチャード符号化データ）は、各基地局で異なるビットを消去していることから、各基地局で一部が異なる送信データとなる。従って、第１及び第２の基地局の変調回路２０８で変調した後に得られる変調シンボルはそれぞれ異なるものとなる。
【００８５】
図１１は、第１及び第２の基地局が図１０のように制御されている場合において、無線通信端末の復調回路４０８、データ結合回路４０９及び誤り訂正復号回路４１０の制御例を示している。無線通信端末がソフトハンドオーバを行わず、第１の基地局とのみ通信を行っている場合、図１１（ａ）に示すように、復調回路４０８はＱＰＳＫに対応する復調方式により変調シンボルを復調し、データ結合回路４０９は復調回路４０８から出力された変調データに対して、パンクチャパターンＡ「１１０」に従って、パンクチャされたビット位置にダミービットを挿入する。さらに誤り訂正復号回路４１０はダミービットの挿入された変調データに対して誤り訂正復号を行う。この場合、誤り訂正復号は符号化率Ｒ＝１／３に対応するが、ダミービットが挿入されていることを考慮すると、実質的な符号化率はＲ＝１／２である。
【００８６】
無線通信端末がソフトハンドオーバ状態となり、第１の基地局に加えて第２の基地局とも通信を行う場合、図１１（ｂ）に示すように、各基地局に対応する復調回路４０８は変調方式ＱＰＳＫ、ＢＰＳＫのそれぞれに対応する復調方式により変調シンボルを復調する。
【００８７】
データ結合回路４０９は各基地局に対応する各復調回路４０８から出力された変調データと、それぞれ対応するパンクチャパターンＡ、Ｂを基に、上記（１）（２）で説明したように、符号化データを生成する。さらに誤り訂正復号回路４１０は、生成された符号化データに対して誤り訂正復号を行う。この場合、誤り訂正復号は符号化率Ｒ＝１／３に対応する。
【００８８】
（３−２）制御パラメータが、パンクチャパターン及び拡散率である場合について、図１２及び図１３を用いて、基地局及び無線通信端末の要部の処理動作について説明する。なお、図１２及び図１３では、無線通信端末において第２の基地局から送信された無線信号の受信状態が、第１の基地局から送信された無線信号の受信状態に対して劣っている場合について説明している。
【００８９】
図１２は、複数の基地局の誤り訂正符号化回路２１０、パンクチャ処理回路２０９、変調回路２０８及び第２の符号乗算回路２０７の動作例を示している。無線通信端末がソフトハンドオーバを行わず、第１の基地局とのみ通信を行っている場合、図１２（ａ）に示すように、誤り訂正符号化回路２１０は誤り検出符号付加回路２１１から出力された送信データに対して、符号化率Ｒ＝１／３で符号化する。パンクチャ処理回路２０９は誤り訂正符号化回路２１０から出力された誤り訂正符号化データに対して、パンクチャパターンＡ「１１０」にてパンクチャを行い、その結果得られるパンクチャード符号化データを変調回路２０８へ出力する。変調回路２０８で、変調方式としてＱＰＳＫを用いて、入力されたパンクチャード符号化データを変調した後、第２の符号乗算回路２０７では拡散率ＳＦ＝４に対応する拡散符号を入力された変調データに対して乗算する。図１２（ａ）に示すように、第１の基地局では、パンクチャパターンＡにより３ビット当たり１ビット消去した後、ＱＰＳＫで変調して、情報２ビット分が１シンボルとなり、さらに、拡散率「４」に対応する拡散符号で拡散を行うことにより、１ブロック当たり８シンボルで伝送される。
【００９０】
このような制御条件下において、無線通信端末がソフトハンドオーバ状態となり、第１の基地局に加えて第２の基地局とも通信を行う場合、図１２（ｂ）に示すように、第１の基地局に対してはパンクチャパターンを変更せずに「１１０」が、また拡散率も変更せずに「４」が通知される。
【００９１】
第２の基地局からの無線信号を無線通信端末で受信したときの受信状態は、第１の基地局からの無線信号を無線通信端末で受信したときの受信状態よりも劣っているので、第２の基地局に対しては、第１の基地局に通知されているパンクチャパターンＡで消去されるビット数よりも多く、しかもパンクチャパターンＡとは異なるビットが消去されるパンクチャパターンＢ「００１」が通知され、そのために（最終的に生成されるシンボル数が同じになるように）拡散率も第１の基地局に通知されている拡散率よりも大きい「８」が通知される。
【００９２】
すなわち、第１の基地局では、パンクチャパターンＡにより３ビット当たり１ビット消去した後、ＱＰＳＫにより、情報２ビット分が１シンボルとなり、さらに、拡散率「４」に対応する拡散符号で拡散を行うことにより、１ブロック当たり８シンボルで伝送され、第２の基地局では、パンクチャパターンＢにより３ビット当たり２ビット消去した後、ＱＰＳＫにより情報２ビット分が１シンボルとなり、さらに、拡散率「８」に対応する拡散符号で拡散を行うことにより、やはり上記第１の基地局の場合と同様に、１ブロック当たり８シンボルで伝送されるから、図１２（ａ）のソフトハンドオーバ状態でない場合と同一である。
【００９３】
また、ソフトハンドオーバ状態であることから、各基地局の誤り訂正符号化回路２１０に入力される送信データは同一の送信データであり、誤り訂正符号化回路２１０から出力される誤り訂正符号化データも同一である。しかし、パンクチャ後の誤り訂正符号化データ（パンクチャード符号化データ）は、各基地局で異なるビットを消去していることから、各基地局で一部が異なるものとなる。従って、第１及び第２の基地局の第２の符号乗算回路２０７から出力される拡散符号乗算後の拡散シンボルはそれぞれ異なるものとなる。
【００９４】
図１３は、第１及び第２の基地局が図１２のように制御されている場合において、無線通信端末の第２の符号乗算回路４０５、復調回路４０８、データ結合回路４０９及び誤り訂正復号回路４１０の制御例を示している。無線通信端末がソフトハンドオーバを行わず、第１の基地局とのみ通信を行っている場合、図１３（ａ）に示すように、第２の符号乗算回路４０５は、拡散率「４」に対応する拡散符号を乗算し、復調回路４０８はＱＰＳＫに対応する復調方式により変調シンボルを復調し、データ結合回路４０９は復調回路４０８から出力された復調データに対して、パンクチャパターンＡ「１１０」に従って、パンクチャされたビット位置にダミービットを挿入する。さらに誤り訂正復号回路４１０はダミービットの挿入された復調データに対して誤り訂正復号を行う。この場合、誤り訂正復号は符号化率Ｒ＝１／３に対応するが、ダミービットが挿入されていることを考慮すると、実質的な符号化率はＲ＝１／２である。
【００９５】
無線通信端末がソフトハンドオーバ状態となり、第１の基地局に加えて第２の基地局とも通信を行う場合、図１３（ｂ）に示すように、第１の基地局に対応する第２の符号乗算回路４０５は、拡散率「４」に対応する拡散符号を乗算し、復調回路４０８はＱＰＳＫに対応する復調方式により変調シンボルを復調する。また、第２の基地局に対応する第２の符号乗算回路４０５は、拡散率「８」に対応する拡散符号を乗算し、復調回路４０８はＱＰＳＫに対応する復調方式により変調シンボルを復調する。
【００９６】
データ結合回路４０９は、各基地局に対応する復調回路４０８から出力された復調データと、それぞれ対応するパンクチャパターンＡ、Ｂ基に、上記（１）（２）で説明したように、符号化データを生成する。さらに誤り訂正復号回路１１０は、生成された符号化データに対して誤り訂正復号を行う。この場合、誤り訂正復号は符号化率Ｒ＝１／３に対応する。
【００９７】
（３−３）制御パラメータが、符号化率、パンクチャパターン及び変調方式である場合について、図１４及び図１５を用いて、基地局及び無線通信端末の要部の処理動作について説明する。なお、図１４及び図１５では、無線通信端末において第２の基地局から送信された無線信号の受信状態が、第１の基地局から送信された無線信号の受信状態に対して劣っている場合について説明している。
【００９８】
図１４は、複数の基地局の誤り訂正符号化回路２１０、パンクチャ処理回路２０９及び変調回路２０８の動作を示している。無線通信端末がソフトハンドオーバを行わず、第１の基地局とのみ通信を行っている場合、図１４（ａ）に示すように、誤り訂正符号化回路２１０は、誤り検出符号付加回路２１１から出力された送信データに対して、符号化率Ｒ＝１／２で符号化する。パンクチャ処理回路２０９は、誤り訂正符号化回路２１０から出力された誤り訂正符号化データに対して、パンクチャを行なわずに変調回路２０８へ出力する。変調回路２０８は、ＱＰＳＫを用いて、入力された誤り訂正符号化データを変調する。図１４（ａ）に示すように、第１の基地局では、誤り訂正符号化データに対してパンクチャを行わずに、そのままＱＰＳＫを用いて変調することにより、情報２ビット分が１シンボルで伝送されるから、１ブロックの送信データは、２シンボルとなる。
【００９９】
このような制御条件下において、無線通信端末がソフトハンドオーバ状態となり、第１の基地局に加えて第２の基地局とも通信を行う場合、図１４（ｂ）に示すように、第１の基地局に対しては、符号化率をＲ＝１／２からＲ＝１／３へ変更する旨、及びパンクチャパターンをパンクチャパターンＢ「１１０」へ変更する旨が通知される。
【０１００】
第２の基地局からの無線信号を無線通信端末で受信したときの受信状態は、第１の基地局からの無線信号を無線通信端末で受信したときの受信状態よりも劣っているので、第２の基地局に対しては、第１の基地局に通知されているパンクチャパターンＢで消去されるビット数よりも多く、しかもパンクチャパターンＢとは異なるビットが消去されるパンクチャパターンＣ「００１」が通知され、そのために（最終的に生成されるシンボル数が同じになるように）変調方式も、第１の基地局に通知されている変調方式よりも１シンボル当たりの情報伝送量の少ないＢＰＳＫが通知される。さらに、符号化率Ｒ＝１／３が通知される。
【０１０１】
すなわち、第１の基地局では、符号化率「１／３」で誤り訂正符号化を行った後、パンクチャパターンＢにより３ビット当たり１ビット消去し、ＱＰＳＫを用いることにより、情報２ビット分が１シンボルとなり、１ブロック当たり２シンボルで伝送される。また、第２の基地局では、符号化率「１／３」で誤り訂正符号化を行った後、パンクチャパターンＣにより３ビット当たり２ビット消去し、ＢＰＳＫを用いることにより、情報１ビット分が１シンボルとなり、やはり上記第１の基地局の場合と同様に、１ブロック当たり２シンボルで伝送されるから、図１４（ａ）のソフトハンドオーバ状態でない場合と同一である。
【０１０２】
また、ソフトハンドオーバ状態であることから、各基地局の誤り訂正符号化回路２１０に入力される送信データは同一の送信データであり、誤り訂正符号化回路２１０から出力される誤り訂正符号化データも同一である。しかし、パンクチャ後の誤り訂正符号化データ（パンクチャード符号化データ）は、各基地局で異なるビットを消去していることから、各基地局で一部が異なる送信データとなる。従って、第１及び第２の基地局の変調回路２０８で変調した後に得られる変調シンボルはそれぞれ異なるものとなる
図１５は、第１及び第２の基地局が図１４のように制御されている場合において、無線通信端末の復調回路４０８、データ結合回路４０９及び誤り訂正復号回路４１０の制御例を示している。無線通信端末がソフトハンドオーバを行わず、第１の基地局とのみ通信を行っている場合、図１５（ａ）に示すように、復調回路４０８は、ＱＰＳＫに対応する復調方式により変調シンボルを復調し、データ結合回路４０９は復調回路４０８から出力された復調データをそのまま誤り訂正復号回路に４１０へ出力する。誤り訂正復号回路４１０は入力された復調データに対して誤り訂正復号を行う。この場合、誤り訂正復号は符号化率Ｒ＝１／２に対応する。
【０１０３】
無線通信端末がソフトハンドオーバ状態となり、第１の基地局に加えて第２の基地局とも通信を行う場合、図１５（ｂ）に示すように、第１の基地局に対応する復調回路４０８はＱＰＳＫに対応する復調方式により変調シンボルを復調する。また、第２の基地局に対応する復調回路４０８はＢＰＳＫに対応する復調方式により変調シンボルを復調する。
【０１０４】
データ結合回路４０９は、各基地局に対応する復調回路４０８から出力された復調データと、それぞれ対応するパンクチャパターンＢ、Ｃを基に、上記（１）（２）で説明したように、符号化データを生成する。さらに誤り訂正復号回路１１０は、生成された符号化データに対して誤り訂正復号を行う。この場合、誤り訂正復号は符号化率Ｒ＝１／３に対応する。
【０１０５】
（３−４）制御パラメータが、符号化率、パンクチャパターン及び拡散率である場合について、図１６及び図１７を用いて、基地局及び無線通信端末の要部の処理動作について説明する。なお、図１６及び図１７では、無線通信端末において第２の基地局から送信された無線信号の受信状態が、第１の基地局から送信された無線信号の受信状態に対して劣っている場合について説明している。
【０１０６】
図１６は、複数の基地局の誤り訂正符号化回路２１０、パンクチャ処理回路２０９、変調回路２０８及び第２の符号乗算回路の動作を示している。無線通信端末がソフトハンドオーバを行わず、第１の基地局とのみ通信を行っている場合、図１６（ａ）に示すように、誤り訂正符号化回路２１０は、誤り検出符号付加回路２１１から出力された送信データに対して、所定の符号化率Ｒ＝１／２で符号化する。パンクチャ処理回路２０９は、誤り訂正符号化回路２１０から出力された誤り訂正符号化データに対して、パンクチャを行なわずに変調回路２０６へ出力する。変調回路２０６は、ＱＰＳＫを用いて、入力された誤り訂正符号化データを変調し、第２の符号乗算回路２０７へ出力する。第２の符号乗算回路２０７は、拡散率「４」に対応する拡散符号を入力された誤り訂正符号化データに対して乗算する。
【０１０７】
図１６（ａ）に示すように、第１の基地局では、誤り訂正符号化データを、ＱＰＳＫで変調して、情報２ビット分が１シンボルとなり、さらに、拡散率「４」に対応する拡散符号で拡散を行うことにより、１ブロック当たり８シンボルで伝送される。
【０１０８】
このような制御条件下において、無線通信端末がソフトハンドオーバ状態となり、第１の基地局に加えて第２の基地局とも通信を行う場合、図１６（ｂ）に示すように、第１の基地局に対しては、誤り率をＲ＝１／２からＲ＝１／３へ変更する旨、及びパンクチャパターンＢ「１１０」へ変更する旨が通知される。拡散率については変更されない。
【０１０９】
第２の基地局からの無線信号を無線通信端末で受信したときの受信状態は、第１の基地局からの無線信号を無線通信端末で受信したときの受信状態よりも劣っているので、第２の基地局に対しては、第１の基地局に通知されているパンクチャパターンＢで消去されるビット数よりも多く、しかもパンクチャパターンＢとは異なるビットが消去されるパンクチャパターンＣ「００１」が通知され、そのために（最終的に生成されるシンボル数が同じになるように）拡散率も第１の基地局に通知されている拡散率よりも大きい「８」が通知される。また、第１の基地局での変調方式と同じ変調方式ＱＰＳＫが第２の基地局へ通知される。
【０１１０】
すなわち、第１の基地局では、パンクチャパターンＢにより３ビット当たり１ビット消去した後、ＱＰＳＫにより、情報２ビット分が１シンボルとなり、さらに、拡散率「４」に対応する拡散符号で拡散を行うことにより、１ブロック当たり８シンボルで伝送され、第２の基地局では、パンクチャパターンＢにより３ビット当たり２ビット消去した後、ＱＰＳＫにより情報２ビット分が１シンボルとなり、さらに、拡散率「８」に対応する拡散符号で拡散を行うことにより、やはり上記第１の基地局の場合と同様に、１ブロック当たり８シンボルで伝送されるから、図１６（ａ）のソフトハンドオーバ状態でない場合と同一である。
【０１１１】
また、ソフトハンドオーバ状態であることから、各基地局の誤り訂正符号化回路２１０に入力される送信データは同一の送信データであり、誤り訂正符号化回路２１０から出力される誤り訂正符号化データも同一である。しかし、パンクチャ後の誤り訂正符号化データ（パンクチャード符号化データ）は、各基地局で異なるビットを消去していることから、各基地局で一部が異なる送信データとなる。従って、第１及び第２の基地局の第２の符号乗算回路２０７から出力される拡散符号乗算後の拡散シンボルはそれぞれ異なるものとなる。
【０１１２】
図１７は、第１及び第２の基地局が図１６のように制御されている場合において、無線通信端末の第２の符号乗算回路４０５、復調回路４０８、データ結合回路４０９及び誤り訂正復号回路４１０の制御例を示している。無線通信端末がソフトハンドオーバを行わず、第１の基地局とのみ通信を行っている場合、図１７（ａ）に示すように、第２の符号乗算回路４０５は、拡散率「４」に対応する拡散符号を乗算し、復調回路４０８はＱＰＳＫに対応する復調方式により変調シンボルを復調し、データ結合回路４０９は復調回路４０８から出力された復調データをそのまま誤り訂正復号回路４０９へ出力する。誤り訂正復号回路４０９は、入力された復調データに対して誤り訂正復号を行う。この場合、誤り訂正復号は符号化率Ｒ＝１／２に対応する。
【０１１３】
無線通信端末がソフトハンドオーバ状態となり、第１の基地局に加えて第２の基地局とも通信を行う場合、図１７（ｂ）に示すように、第１の基地局に対応する第２の符号乗算回路４０５は、拡散率「４」に対応する拡散符号を乗算し、復調回路４０８はＱＰＳＫに対応する復調方式により変調シンボルを復調する。また、第２の基地局に対応する第２の符号乗算回路４０５は、拡散率「８」に対応する拡散符号を乗算し、復調回路４０８はＱＰＳＫに対応する復調方式により変調シンボルを復調する。
【０１１４】
データ結合回路４０９は、各基地局に対応する復調回路４０８から出力された復調データと、それぞれ対応するパンクチャパターンＢ、Ｃを基に、上記（１）（２）で説明したように、符号化データを生成する。さらに誤り訂正復号回路１１０は、生成された符号化データに対して誤り訂正復号を行う。この場合、誤り訂正復号は符号化率Ｒ＝１／３に対応する。
【０１１５】
上記（３−１）〜（３−４）で説明した手法を、ＣＤＭＡ方式を用いて無線通信端末が複数の基地局との間でソフトハンドオーバを実現するシステムに適用することにより、特に、誤り訂正符号化及び誤り検出符号化ブロック長が無線通信路特性の時間変動周期に対して短い場合に、無線通信端末においてハンドオーバ対象となる複数の基地局が送信する無線信号の受信状態に差があるときでも、無線通信端末における受信品質・符号化利得を向上させることができ、その結果、無線リソースの利用効率やスループットを増大させることができる。
【０１１６】
（４）次に、図１８を参照して、（１）〜（３）で説明したような制御パラメータの制御を行う無線通信端末の制御回路５０２の処理動作について説明する。なお、ここでは図５を用いて説明したように、無線通信端末が制御パラメータを複数の基地局に対して通知する場合について説明するが、図４を用いて説明したような、制御局が制御パラメータを複数の基地局に対して通知する場合についても同様に適用することが可能である。
【０１１７】
図１８において、無線通信端末の制御回路５０２は、図５のステップＳ２７でソフトハンドオーバを開始すると、図５に示したように所定の周期で（予め定められた時間が経過する度に）、ハンドオーバに関する制御を開始する（ステップＳ１０１）。すなわち、同期回路４０３からハンドオーバ対象となる複数の基地局の受信状態を取得して（ステップＳ１０２）、これらを比較し、受信状態の差が予め定められた閾値以内であれば（ステップＳ１０３）、ステップＳ１０４へ進み、全ての基地局において同一の制御パラメータを適用することを決定する。あるいは、パンクチャパターンのみが異なり（例えば、削除するビット数は同じで、各基地局で削除するビットが異なるパンクチャパターン）、他の制御パラメータ（符号化率、変調回路変調方式、拡散率）は全ての基地局において同一となるように、各基地局の制御パラメータを決定する。
【０１１８】
一方、受信状態の差が上記閾値を超える場合には（ステップＳ１０３）、ステップＳ１０７進み、例えば、受信状態の劣悪な基地局ほど（少なくとも、受信状態が最も劣る基地局に対して）、所望信号電力対干渉及び雑音信号電力比（ＳＩＮＲ）を向上させるよう、誤り耐性の強い変調方式（例えば、ＱＰＳＫよりはＢＰＳＫの方が誤り耐性が強い）や大きな拡散率となるように、制御パラメータを決定する。この場合において、受信状態が劣悪な基地局と良好な基地局のそれぞれから送信される１ブロック当たりのシンボル数は同じにあるように、受信状態が劣悪な基地局に対しては、受信状態が良好な基地局に割り当てるパンクチャパターンよりも消去するビット数が多いパンクチャパターンを割り当てる。そして、消去するビット位置が各基地局でそれぞれ異なるようなパンクチャパターンを各基地局に割り当てる。
【０１１９】
例えば、上記（３−１）で述べたように、受信状態の良好な基地局に対して、変調方式としてＱＰＳＫ、パンクチャパターン「１１０」を割り当てる場合には、受信状態の劣悪な方の基地局（例えば受信状態が最も劣る基地局）に対しては、変調方式としてＢＰＳＫ、パンクチャパターン「００１」を割り当ると決定する。
【０１２０】
また、上記（３−２）で述べたように、受信状態の良好な基地局に対して、拡散率「４」、パンクチャパターン「１１０」を割り当てる場合には、受信状態の劣悪な方の基地局（例えば受信状態が最も劣る基地局）に対しては、拡散率「８」、パンクチャパターン「００１」を割り当ると決定する。
【０１２１】
また、上記（３−３）で述べたように、誤り訂正符号化回路２１０におけるソフトハンドオーバを行っている場合の符号化率を、ソフトハンドオーバを行っていない場合の符号化率よりも低い符号化率にするとともに、受信状態の良好な基地局に対して、変調方式としてＱＰＳＫ、パンクチャパターン「１１０」を割り当てる場合には、受信状態の劣悪な方の基地局（例えば受信状態が最も劣る基地局）に対しては、変調方式ＢＰＳＫ、パンクチャパターン「００１」を割り当ると決定する。
【０１２２】
さらに、上記（３−４）で述べたように、誤り訂正符号化回路２１０におけるソフトハンドオーバを行っている場合の符号化率を、ソフトハンドオーバを行っていない場合の符号化率よりも低い符号化率にするとともに、受信状態の良好な基地局に対して、拡散率「４」、パンクチャパターン「１１０」を割り当てる場合には、受信状態の劣悪な方の基地局（例えば受信状態が最も劣る基地局）に対しては、拡散率「８」、パンクチャパターン「００１」を割り当ると決定する。
【０１２３】
ステップＳ１０３、ステップＳ１０７で決定された各基地局の制御パラメータは、無線通信端末から各基地局へ送信される（ステップＳ１０５、図５のステップＳ２８）。
【０１２４】
以上のステップＳ１０１〜ステップＳ１０５を、ハンドオーバが実施されている限り継続する（ステップＳ１０６）。
【０１２５】
図４に示したように、制御局が制御パラメータを決定して、複数の基地局に対して通知する場合の制御局の動作について、上記図５の無線通信端末で制御パラメータを決定して、複数の基地局に対して通知する場合と異なる部分について説明する。すなわち、制御局は、無線通信端末から（当該無線通信端末と現在通信を行っている基地局を介して）、当該無線通信端末が通信可能な各基地局について測定された受信状態などを取得すると（図４のステップＳ４）、図１８のステップＳ１０３、ステップＳ１０４，ステップＳ１０７と同様に、制御局は各基地局の制御パラメータを決定する（図４のステップＳ５）。制御局は、決定された各基地局の制御パラメータを、各基地局に対して通知する（図４のステップＳ７〜ステップＳ９）。
【０１２６】
以上説明したように、上記実施形態によれば、ＣＤＭＡ方式を用いて、無線通信端末が複数の基地局との間でソフトハンドオーバを行う際、誤り訂正符号化及び誤り検出符号化ブロック長が無線通信路特性の時間変動周期に対して短い場合において、無線通信端末においてハンドオーバ対象となる複数の基地局が送信する無線信号の受信状態に差があり、その受信状態が時間と共に変化するときでも、無線通信端末における受信品質・符号化利得を向上させることができ、その結果、無線リソースの利用効率やスループットを増大させることができる。
【図面の簡単な説明】
【０１２７】
【図１】ソフトハンドオーバ状態について説明するための図。
【図２】基地局の構成例を示した図。
【図３】無線通信端末の構成例を示した図。
【図４】ソフトハンドオーバに関する無線通信制御方法について説明するためのフローチャート。
【図５】ソフトハンドオーバに関する他の無線通信制御方法について説明するためのフローチャート。
【図６】ソフトハンドオーバの制御パラメータが、パンクチャパターンである場合の基地局の要部の処理動作について説明するための図。
【図７】ソフトハンドオーバの制御パラメータが、パンクチャパターンである場合の無線通信端末の要部の処理動作について説明するための図。
【図８】ソフトハンドオーバの制御パラメータが、符号化率及びパンクチャパターンである場合の基地局の要部の処理動作について説明するための図。
【図９】ソフトハンドオーバの制御パラメータが、符号化率及びパンクチャパターンである場合の無線通信端末の要部の処理動作について説明するための図。
【図１０】ソフトハンドオーバの制御パラメータが、パンクチャパターン及び変調方式である場合の基地局の要部の処理動作について説明するための図。
【図１１】ソフトハンドオーバの制御パラメータが、パンクチャパターン及び変調方式である場合の無線通信端末の要部の処理動作について説明するための図。
【図１２】ソフトハンドオーバの制御パラメータが、パンクチャパターン及び拡散率である場合の基地局の要部の処理動作について説明するための図。
【図１３】ソフトハンドオーバの制御パラメータが、パンクチャパターン及び拡散率である場合の無線通信端末の要部の処理動作について説明するための図。
【図１４】ソフトハンドオーバの制御パラメータが、符号化率、パンクチャパターン及び変調方式である場合の基地局の要部の処理動作について説明するための図。
【図１５】ソフトハンドオーバの制御パラメータが、符号化率、パンクチャパターン及び変調方式である場合の無線通信端末の要部の処理動作について説明するための図。
【図１６】ソフトハンドオーバの制御パラメータが、符号化率、パンクチャパターン及び拡散率である場合の基地局の要部の処理動作について説明するための図。
【図１７】ソフトハンドオーバの制御パラメータが、符号化率、パンクチャパターン及び拡散率である場合の無線通信端末の要部の処理動作について説明するための図。
【図１８】無線通信端末の制御回路の処理動作について説明するためのフローチャート。
【符号の説明】
【０１２８】
２、７…送信部、３、５…制御部、４、６…受信部、２０１…アンテナ、２０２…無線処理回路、２０３…第１の符号乗算回路、２０４…第１のデータ多重回路、２０５…第２のデータ多重回路、２０６…パイロット生成回路、２０７…第２の符号乗算回路、２０８…変調回路、２０９…パンクチャ処理回路、２１０…誤り訂正符号化回路、２１１…誤り検出符号付加回路、３０２…制御回路、４０１…アンテナ、４０２…無線処理回路、４０３…同期回路、４０４…第１の符号乗算回路、４０５…第２の符号乗算回路、４０６…伝送路推定回路、４０７…合成回路、４０８…復調回路、４０９…データ結合回路、４１０…誤り訂正復号回路、４１１…誤り検出回路、５０２…制御回路。
【図１】
2006217243.tif 000003
【図２】
2006217243.tif 000004
【図３】
2006217243.tif 000005
【図４】
2006217243.tif 000006
【図５】
2006217243.tif 000007
【図６】
2006217243.tif 000008
【図７】
2006217243.tif 000009
【図８】
2006217243.tif 000010
【図９】
2006217243.tif 000011
【図１０】
2006217243.tif 000012
【図１１】
2006217243.tif 000013
【図１２】
2006217243.tif 000014
【図１３】
2006217243.tif 000015
【図１４】
2006217243.tif 000016
【図１５】
2006217243.tif 000017
【図１６】
2006217243.tif 000018
【図１７】
2006217243.tif 000019
【図１８】
2006217243.tif 000020